(57)【要約】【課題】ティースの軸方向両側に２つのインシュレータが嵌め込まれる構成で、絶縁性の向上を図れる回転電機ステータを提供する。【解決手段】ステータは、ティース２３の軸方向両側部分に嵌め込まれ隙間を介して軸方向に対向する第１インシュレータ３０及び第２インシュレータと、第１インシュレータ３０及び第２インシュレータを介してティース２３に巻回されるコイルとを含む。各インシュレータ３０は、ステータコア２１とコイルとの間に配置される板部であるティース対向板部３４及びヨーク対向板部３１を有する。各板部３１，３４は、コア側面及びコイル側面と、コア側面及びコイル側面を接続し、隙間に対面する先端面３１ｃ、３４ｃとを有する。各インシュレータのうち、少なくとも一方のインシュレータにおける板部３１，３４の先端面３１ｃ、３４ｃは軸方向に突出する突部３１ｅ、３４ｅを有する。【選択図】図２
2016116270.tif 000002
【特許請求の範囲】
【請求項１】
円環状のヨーク及び、前記ヨークの周方向複数位置において径方向内側に突出するティースを含むステータコアと、
前記ティースの軸方向両側部分に嵌め込まれ隙間を介して軸方向に対向する第１インシュレータ及び第２インシュレータと、
前記第１インシュレータ及び前記第２インシュレータを介して前記ティースに巻回されるコイルとを備え、
前記第１インシュレータ及び前記第２インシュレータは、前記ステータコアと前記コイルとの間に配置される板部であって、前記ステータコアに対向するコア側面と、前記コイルに対向するコイル側面と、前記コア側面と前記コイル側面を接続し前記隙間に対面する先端面と、を有する板部を含み、
前記第１インシュレータ及び前記第２インシュレータのうち、少なくとも一方のインシュレータにおける前記板部の先端面は、軸方向に突出する突部を有する、回転電機ステータ。
【発明の詳細な説明】
【技術分野】
【０００１】
本発明は、ステータコアのティースに嵌め込まれるインシュレータと、インシュレータを介してティースに巻回されるコイルとを含む回転電機ステータに関する。
【背景技術】
【０００２】
モータまたは発電機である回転電機は、ステータとロータとを含んでいる。ステータの径方向に突出する複数のティースにはコイルが巻回される。このとき、ティースとコイルとの間にはティース及びコイルの間の絶縁を図るためのインシュレータが配置される。
【０００３】
特許文献１には、ティースの軸方向両側部分に２つのインシュレータを嵌め込むことが記載されている。２つのインシュレータは、軸方向に隙間を介して対向する。
【先行技術文献】
【特許文献】
【０００４】
【特許文献１】特開２０１３−３８９００号公報
【発明の概要】
【発明が解決しようとする課題】
【０００５】
特許文献１に記載された構成では、２つのインシュレータにおいて、ステータコアとコイルとの間に配置される部分が隙間を介して軸方向に対向する。この構成では、ステータコアとコイルとの一部が、インシュレータを介さずに小さい隙間を挟んで対向するので、ステータコアとコイルとの間の絶縁性の向上を図る面から改良の余地がある。
【０００６】
本発明の目的は、ティースの軸方向両側に２つのインシュレータが嵌め込まれる構成で、絶縁性の向上を図れる回転電機ステータを提供することである。
【課題を解決するための手段】
【０００７】
本発明に係る回転電機ステータは、円環状のヨーク及び、前記ヨークの周方向複数位置において径方向内側に突出するティースを含むステータコアと、前記ティースの軸方向両側部分に嵌め込まれ隙間を介して軸方向に対向する第１インシュレータ及び第２インシュレータと、前記第１インシュレータ及び前記第２インシュレータを介して前記ティースに巻回されるコイルとを備える。さらに、前記第１インシュレータ及び前記第２インシュレータは、前記ステータコアと前記コイルとの間に配置される板部であって、前記ステータコアに対向するコア側面と、前記コイルに対向するコイル側面と、前記コア側面及び前記コイル側面を接続し前記隙間に対面する先端面と、を有する板部を含む。さらに、前記第１インシュレータ及び前記第２インシュレータのうち、少なくとも一方のインシュレータにおける前記板部の先端面は、軸方向に突出する突部を有する。
【発明の効果】
【０００８】
本発明に係る回転電機ステータによれば、ティースの軸方向両側に２つのインシュレータが嵌め込まれる構成で絶縁性の向上を図れる。
【図面の簡単な説明】
【０００９】
【図１】本発明の実施形態の回転電機ステータを含む回転電機の軸方向に対し直交する方向の断面図である。
【図２】図１のＡ部拡大図において、一部を省略して示す図である。
【図３】図１からステータコアを構成する１つの分割コアを取り出して示す斜視図である。
【図４】ステータコアを構成する１つの分割コアのティースに第１インシュレータ及び第２インシュレータが装着された状態を示す斜視図である。
【図５】図４において分割コアと各インシュレータとを分離して示す斜視図である。
【図６】図４から第１インシュレータを取り出して示す斜視図である。
【図７】図６の上方から見た図（ａ）と、（ａ）のＢ部を軸方向外側から軸方向Ｇに見た図（ｂ）である。
【図８】図４の上部において、ティースにコイルが巻回された状態を示す斜視図（ａ）と、（ａ）のＤ−Ｄ断面図（ｂ）である。
【図９】比較例の回転電機ステータを構成するインシュレータとコイルとを分離して示す斜視図である。
【図１０】本発明の実施形態において、体格が異なる分割コアにインシュレータが装着された２例を示す斜視図である。
【発明を実施するための形態】
【００１０】
以下に図面を用いて本発明に係る実施形態につき、詳細に説明する。以下で説明する形状、材料、個数などは説明のための例示であって、回転電機ステータの仕様により変更が可能である。以下では、同様の構成には同一の符号を付して説明する。なお、回転電機ステータを含む回転電機は、モータまたは発電機、またはモータ及び発電機の両方の機能を有するモータジェネレータとして用いられる。
【００１１】
図１は、本実施形態の回転電機ステータ２０を含む回転電機１０の軸方向に対し直交する方向の断面図である。図２は、図１のＡ部拡大図において、一部を省略して示す図である。図３は、図１からステータコア２１を構成する１つの分割コア２４を取り出して示す斜視図である。図４は、１つの分割コア２４のティース２３に第１インシュレータ３０及び第２インシュレータ４０が装着された状態を示す斜視図である。以下、回転電機ステータ２０はステータ２０という。図１において、ステータ２０の径方向が矢印Ｒで示され、ステータ２０の周方向が矢印Ｃで示されている。また、ステータ２０の軸方向は、図１の紙面に垂直な方向である。図４から図７では軸方向が矢印Ｇで示されている。
【００１２】
回転電機１０は、略円筒状をなすステータ２０と、ステータ２０の径方向内側にギャップ１３を介して配置されたロータ１４とを備える。ロータ１４は、内側に回転軸１６が挿入固定されている。回転軸１６は、回転電機１０を収容するケース（図示せず）に回転可能に支持される。図１では、永久磁石１４ａを内蔵するロータ１４を示しているが、永久磁石を含まない形式のロータであってもよい。
【００１３】
ステータ２０は、ステータコア２１と、ステータコア２１の後述するティース２３に巻装されたコイル２７と、ステータコア２１及びコイル２７の間を絶縁する第１インシュレータ３０及び第２インシュレータ４０（図４）とを備える。ステータコア２１は、円環状のヨーク２２と、ヨーク２２から径方向内側に突出する複数のティース２３とを有する。複数のティース２３は、ヨーク２２の内周面の周方向複数位置において径方向内側に突出形成される。複数のティース２３は、ヨーク２２の周方向に所定間隔で形成される。このようなステータコア２１は、次のように複数の分割コア２４を結合することにより構成される。
【００１４】
図１で示したステータコア２１は、周方向Ｃに分割された複数個の分割コア２４を円環状に結合することにより構成される。各分割コア２４は、例えば磁性材である複数枚の電磁鋼板を積層してカシメまたは溶接などによって一体に連結して構成される。
【００１５】
各分割コア２４は、略円弧形のヨーク要素２５と、１つのティース２３とを有し、軸方向Ｇに見た形状が略Ｔ字形になるように形成される。ティース２３はヨーク要素２５の内周面から径方向に突出する。分割コア２４は、複数個がヨーク要素２５を周方向Ｃに隣接させる状態で環状に配置され、その外周側に図示しない円筒状ケースが焼き嵌め、圧入などによって外装されることにより一体に連結される。これによって、ステータコア２１が形成される。複数の分割コア２４のヨーク要素２５が、円環状のヨーク２２を形成する。
【００１６】
ステータコア２１の周方向に隣り合うティース２３の間には、溝状のスロット２６が軸方向両側及び径方向内側に開口して形成される。図２に示すように、ティース２３は、径方向Ｒの中間部で径方向内側に向かうにしたがって幅Ｗｔが小さくなり、径方向Ｒの両端部で幅がそれぞれ略一定となるように形成される。なお、ティース２３は、根本から先端までの径方向Ｒの全体で周方向の幅Ｗｔが小さくなる台形状としてもよく、また、径方向Ｒの全体で周方向の幅Ｗｔが略一定となる形状としてもよい。
【００１７】
図２、図３に示すように、ステータコア２１のヨーク２２の内周面において、各ティース２３の根元周辺部に位置する部分には、径方向Ｒに対し傾斜するようにＶ字形に配置される第１平面部２２ａ及び第２平面部２２ｂが形成される。また、後述するようにティース２３の軸方向両側に第１インシュレータ３０及び第２インシュレータ４０が装着された状態で、各インシュレータ３０，４０の後述するヨーク対向板部３１，４１（図４）にティース２３に近い第１平面部２２ａが対向する。このとき、ヨーク対向板部３１，４１の径方向Ｒの外側面が、第１平面部２２ａと面接触する。なお、図２、図３では、第１平面部２２ａはティース２３の根元から直接に連結されず、第１平面部２２ａは溝部２５ａ（図２）を介してティース２３の根元に連結される。第１平面部２２ａはティース２３の根元に直接連結されてもよい。
【００１８】
また、ティース２３の周方向両側面の先端側部分には、軸方向に沿って内側に窪むようにキー溝２３ａが形成されている。キー溝２３ａには後述する第１インシュレータ３０及び第２インシュレータ４０のキー部３２，４２（図２、図５、図６参照）が係止される。
【００１９】
なお、ステータコア２１は、このように複数の分割コア２４により形成される構成に限定するものではなく、例えば、電磁鋼板を略円環状に打ち抜き加工したものを複数枚積層して、カシメ、溶接などによって一体に連結して構成される構成としてもよい。ステータコア２１は、樹脂バインダと磁性粉末とを加圧成形することにより形成されてもよい。
【００２０】
コイル２７は、例えば導体素線の周囲を絶縁皮膜で被覆した導線により形成され、後述する第１インシュレータ３０及び第２インシュレータ４０を介してティース２３に巻回される。コイル２７は、ティース２３に集中巻きで巻回される。
【００２１】
図５は、図４において分割コア２４と各インシュレータ３０，４０とを分離して示す斜視図である。図６は、図４から第１インシュレータ３０を取り出して示す斜視図である。図７は、図６の上方から見た図（ａ）と、（ａ）のＢ部を軸方向外側から軸方向Ｇに見た図（ｂ）である。
【００２２】
図４に示すように、第１インシュレータ３０及び第２インシュレータ４０のそれぞれは、ステータコア２１（図１）を構成する各ティース２３の軸方向Ｇ両側部分に嵌め込まれる。第１インシュレータ３０及び第２インシュレータ４０は、隙間Ｈを介して軸方向に対向する。
【００２３】
具体的には、各ティース２３の軸方向一方側部分（図４の上側部分）に第１インシュレータ３０が嵌め込まれる。第１インシュレータ３０は、ティース２３の軸方向一端面（図４の上端面）と対向してこの軸方向一端面を覆う第１基部３３と、２つの第１ティース対向板部３４と、第１ヨーク対向板部３１とを有する。
【００２４】
２つの第１ティース対向板部３４は、第１基部３３の周方向Ｃ両端からティース２３の周方向Ｃ両側面に沿うように軸方向に伸びる。第１ヨーク対向板部３１は、第１基部３３及び各第１ティース対向板部３４の径方向外端に連結される。第１ヨーク対向板部３１は、ヨーク２２（図１）を構成するヨーク要素２５の第１平面部２２ａを含む径方向内側面に対向する。第１インシュレータ３０は、ポリフェニレンサルファイド、ＰＡ６６ナイロンなどの樹脂により形成される。
【００２５】
第１インシュレータ３０の第１基部３３において、軸方向Ｇ外端部の周方向Ｃ中央部には、箱形に突出する突壁部３３ａが形成される。突壁部３３ａは、第１基部３３の根元から先端付近にわたるほぼ全体に形成される。突壁部３３ａの径方向内端縁の周方向中央部の２個所位置には平行な切込み３３ｂが形成される。そして、２つの切込み部３３ｂの内側部分を径方向外側に弾性変形可能とし、その内側部分の先端部に軸方向外側に突出するコイル係止部３３ｃが形成される。
【００２６】
また、第１ヨーク対向板部３１の周方向Ｃ両側部分は、突壁部３３ａの根元部を介して連結される。これによって、第１ヨーク対向板部３１は、実際には突壁部３３ａの根元部を挟んで２つに分かれている。なお、第１ヨーク対向板部３１は２つに分離しないで一体の板状に形成されてもよい。
【００２７】
コイル係止部３３ｃのティース２３側の部分には、第１基部３３のティース２３に接近する部分と連続するように逃げ溝３３ｄ（図６）が形成されている。第１インシュレータ３０の外側にコイル２７（図１）を配置する場合、コイル係止部３３ｃがコイル２７により押されて逃げ溝３３ｄの内側に弾性変形する。そして後述の図８（ａ）に示すようにコイル２７が第１ヨーク対向板部３１付近に押し込まれた状態で、コイル２７による押し付け力がなくなって、コイル係止部３３ｃが元の形状となる。そして、コイル２７の一部の径方向Ｒ内側面（図８（ａ）の右側面）にコイル係止部３３ｃが係止される。
【００２８】
第１インシュレータ３０の各第１ティース対向板部３４は、ティース２３の周方向側面に対向するコア側面３４ａと、外側に向いてコイルと対向するコイル側面３４ｂとを有する。各第１ティース対向板部３４は、コア側面３４ａとコイル側面３４ｂとを接続する先端面３４ｃを有する。第１ティース対向板部３４の先端面３４ｃは、隙間Ｈに対面する。上記のように第１インシュレータ３０及び第２インシュレータ４０は、隙間Ｈを介して対向する。
【００２９】
図６に示すように、第１インシュレータ３０の各第１ティース対向板部３４のコイル側面３４ｂには、径方向Ｒの根元付近から先端付近に向かって三角形の山部と谷部とが交互に配置される波形部３４ｄが形成される。波形部３４ｄは、後述のように第１インシュレータ３０の外側にコイル２７が配置された状態でコイル２７が押し付けられることで、コイル２７の径方向Ｒへの位置ずれを阻止する。
【００３０】
また、各第１ティース対向板部３４のコア側面３４ａにおいて、径方向Ｒの内端側（図６の上端側）で軸方向Ｇの開口端側には、ティース２３に向けて突出し軸方向Ｇに長いキー部３２が形成される。さらに、２つの第１ティース対向板部３４の径方向Ｒの内端部で軸方向Ｇの開口端の間隔Ｊは軸方向Ｇの奥側部分の間隔よりも小さく狭められている。２つの第１ティース対向板部３４の径方向内端部で軸方向Ｇの開口端の自由状態での間隔Ｊは、ティース２３の先端部の周方向長さＷ１（図２）よりも若干小さくなっている。
【００３１】
第１インシュレータ３０の第１ヨーク対向板部３１は、径方向Ｒの外側に向いてヨーク２２の径方向内側面に対向するコア側面３１ａと、径方向Ｒの内側に向いてコイル２７に対向するコイル側面３１ｂとを有する。各第１ヨーク対向板部３１は、コア側面３１ａとコイル側面３１ｂとを接続する先端面３１ｃを有する。第１ヨーク対向板部３１の先端面３１ｃは、第１インシュレータ３０及び第２インシュレータ４０が対向する上記の隙間Ｈに対面する。
【００３２】
第１ヨーク対向板部３１のコイル側面３１ｂにおいて、周方向両端縁部には、端縁部に沿って径方向Ｒ内側に山形に突出するコイル受け部３１ｄが形成される。コイル受け部３１ｄは、第１インシュレータ３０の外側にコイル２７が配置された状態でコイル２７の径方向Ｒ外端部分の外周部分と係合してコイル２７が第１インシュレータ３０から周方向Ｃ外側にずれることを阻止する。
【００３３】
さらに、図２及び図６に示すように、第１インシュレータ３０の各第１ティース対向板部３４の先端面３４ｃにはティース側突部３４ｅが形成される。また、第１ヨーク対向板部３１の先端面３１ｃにはヨーク側突部３１ｅが形成される。図２ではティース側突部３４ｅ及びヨーク側突部３１ｅを砂地で示している。
【００３４】
具体的には、各第１ティース対向板部３４のティース側突部３４ｅは、コイル側面３４ｂとコア側面３４ａとの両方から段差面３４ｆ、３４ｇを介して接続されて、軸方向に突出する。言い換えれば、ティース側突部３４ｅは、第１ティース対向板部３４の先端面３４ｃにおいて、段差面３４ｆ、３４ｇよりも軸方向に突出する。ティース側突部３４ｅは、径方向Ｒの根本側端部から先端縁にわたって連続して形成される。
【００３５】
一方、第１ヨーク対向板部３１のヨーク側突部３１ｅは、コイル側面３１ｂとコア側面３１ａとの両方から段差面３１ｆ、３１ｇを介して接続されて、軸方向に突出する。言い換えれば、ヨーク側突部３１ｅは、第１ヨーク対向板部３１の先端面３１ｃにおいて、段差面３１ｆ、３１ｇよりも軸方向に突出する。ヨーク側突部３１ｅは、ティース２３側の根元側端部から先端縁にわたって連続して形成される。
【００３６】
このようにティース側突部３４ｅ及びヨーク側突部３１ｅが形成されることによって、後述するように、コイル２７とステータコア２１との間の沿面距離を大きくできる。
【００３７】
図６ではティース側突部３４ｅ及びヨーク側突部３１ｅが、断面矩形状に形成されているが、それぞれの断面形状は三角形、円弧形など他の形状としてもよい。
【００３８】
図４、図５に示すように、第２インシュレータ４０は、ティース２３の軸方向他端面（図４、図５の下端面）と対向してこの軸方向他端面を覆う第２基部４３と、２つの第２ティース対向板部４４と、第２ヨーク対向板部４１とを有する。２つの第２ティース対向板部４４は、第２基部４３の周方向Ｃ両端からティース２３の周方向Ｃ両側面に沿うように軸方向に伸びる。第２ヨーク対向板部４１は、第２基部４３及び各第２ティース対向板部４４の径方向外端に連結され、ヨーク２２を構成するヨーク要素２５の第１平面部２２ａを含む径方向内側面に対向する。
【００３９】
第２インシュレータ４０の第２ヨーク対向板部４１の周方向一方側部分（図４、図５の左側部分）の軸方向外端部には、径方向内側に突出する脚部４５が形成される。脚部４５は、第２基部４３のほぼ径方向内端付近まで伸びて、脚部４５の先端部に第２基部４３側に突出する第２コイル係止部４６が形成される。
【００４０】
さらに、第２インシュレータ４０の場合も、第１インシュレータ３０と同様に、各第２ティース対向板部４４の先端面４４ａに軸方向に突出するティース側突部４４ｂが形成される。また、ヨーク対向板部４１の先端面４１ａに軸方向に突出するヨーク側突部４１ｂが形成される。図５ではティース側突部４４ｂ及びヨーク側突部４１ｂを砂地で示している。
【００４１】
具体的には、各第２ティース対向板部４４のティース側突部４４ｂは、第２ティース対向板部４４のコイル側面４４ｃとコア側面４４ｄとの両方から段差面４４ｅ、４４ｆを介して接続されて、軸方向に突出する。言い換えればティース側突部４４ｂは、第１ティース対向板部４４の先端面４４ａにおいて、段差面４４ｅ、４４ｆよりも軸方向に突出する。また、第２ティース対向板部４４のコイル側面４４ｃに、第１インシュレータ３０と同様に波形部４４ｇが形成される。
【００４２】
一方、第２ヨーク対向板部４１のヨーク側突部４１ｂは、第２ヨーク対向板部３１のコイル側面４１ｃとコア側面４１ｄとの両方から段差面４１ｅ、４１ｆを介して接続されて、軸方向に突出する。言い換えれば、ヨーク側突部４１ｂは、第１ヨーク対向板部４１の先端面４１ａにおいて、段差面４１ｅ、４１ｆよりも軸方向に突出する。
【００４３】
第２インシュレータ４０において、その他の形状及び材質については、第１インシュレータ３０と同様である。
【００４４】
ティース２３に第１インシュレータ３０及び第２インシュレータ４０を組み付ける場合、ティース２３の軸方向両側から第１インシュレータ３０及び第２インシュレータ４０を嵌め込む。各インシュレータ３０，４０の各ティース対向板部３４，４４の径方向内端における先端の間隔は、ティース２３の周方向長さＷ１（図２）よりも小さい。このことから、各インシュレータ３０，４０は、各ティース対向板部３４，４４の間隔を広げながらティース２３に組み付ける。また、各インシュレータ３０，４０のティース対向板部３４，４４に形成されたキー部３２（第２インシュレータ４０のキー部の図示は省略する。）をキー溝２３ａに係止させて、各インシュレータ３０，４０をティース２３に対し軸方向にスライドさせる。これによって、各インシュレータ３０，４０のティース２３に対する径方向Ｒへの脱落が阻止される。
【００４５】
また、各インシュレータ３０，４０において、２つのティース対向板部３４，４４の径方向内端部における先端部の間隔が狭められているので、先端部の挟み付け力によってティース２３にティース対向板部３４，４４が押し付けられる。これによって、ティース２３に対し各インシュレータ３０，４０が軸方向Ｇに脱落することも阻止される。
【００４６】
このようにしてティース２３の軸方向両側部分に第１インシュレータ３０及び第２インシュレータ４０が組み付けられた状態で、第１インシュレータ３０及び第２インシュレータ４０は隙間Ｈを介して軸方向に対向する。
【００４７】
ティース２３に装着された第１インシュレータ３０及び第２インシュレータ４０の外側にコイル２７を装着する場合には、コイル２７の径方向内端部を第１基部３３及び第２基部４３のコイル係止部３３ｃ、４３ａと、第２コイル係止部４６とに係止させる。このとき、第２基部４３のコイル係止部４３ｃと脚部４５との間にコイル２７の周方向一部が挿入される。そして、各コイル係止部３３ｃ、４３ａがコイル２７の径方向内端部の内周側部分に係止され、第２コイル係止部４６がコイル２７の径方向内端部の外周側部分に係止される。これによって、ティース２３に対してコイル２７が径方向に外れることが阻止される。
【００４８】
上記のステータ２０によれば、ティース２３の軸方向両側に第１インシュレータ３０及び第２インシュレータ４０が嵌め込まれる構成で、ステータコア２１とコイル２７との間の沿面距離を大きくできる。これについて図８を用いて、第１インシュレータ３０の場合で説明する。
【００４９】
図８は、図４の上部において、ティース２３にコイル２７が巻回された状態を示す斜視図（ａ）と、（ａ）のＤ−Ｄ断面図（ｂ）である。図８（ｂ）に示すように、第１インシュレータ３０のティース対向板部３４の先端面３４ｃには径方向Ｒに長いティース側突部３４ｅが形成される。第１インシュレータ３０は、ステータコア２１とコイル２７との間を絶縁する機能を有する。この絶縁には、空間距離を確保することによる第１の絶縁と、沿面距離を大きくすることによる第２の絶縁とがある。第１の絶縁は、図８（ｂ）の矢印αに沿う距離を確保することで空間Ｓを形成して絶縁を図ることである。一方、第２の絶縁は、図８（ｂ）の矢印βに沿うように、ステータコア２１とコイル２７との間で第１インシュレータ３０の先端面３４ｃに沿う最短距離である沿面距離を大きくして絶縁を図ることである。実施形態では先端面３４ｃにティース側突部３４ｅが形成されるので、沿面距離を大きくできる。これにより、実施形態のようにコイル２７が第１インシュレータ３０及び第２インシュレータ４０の間の隙間Ｈを介してステータコア２１に対向する場合でも、絶縁性の向上を図れる。
【００５０】
また、実施形態では第１インシュレータ３０及び第２インシュレータ４０が軸方向両側に分離されて配置されているので、各インシュレータ３０，４０とコイル２７との組み付け作業性を向上できる。
【００５１】
図９は、比較例の回転電機ステータを構成するインシュレータ５０とコイル２７とを分離して示す斜視図である。この比較例では、インシュレータ５０が、ティース２３（図５参照）の外側に嵌合される筒部５０ａと、筒部５０ａの径方向外端に結合される外側フランジ５０ｂとを有する。このような比較例では、インシュレータ５０を樹脂によって成形する場合に、製造上の誤差などで筒部５０ａの軸方向中央部が外側に膨らむ可能性がある。そして、筒部５０ａの外側面の周方向Ｃ幅がコイル２７の内側部分の周方向Ｃ幅より大きくなると、コイル２７の内側にインシュレータ５０を挿入する作業の作業性が悪化する。実施形態ではこのような不都合を生じない。
【００５２】
また、図１０（ａ）（ｂ）では、軸方向Ｇ長さが異なるティース２３を有する分割コア２４の２例を示している。そして２例の分割コア２４のそれぞれに実施形態の第１インシュレータ３０及び第２インシュレータ４０が装着されている。このように実施形態によれば軸方向Ｇ長さが異なる複数種類のティース２３に第１インシュレータ３０及び第２インシュレータ４０を装着することができるとともに、各インシュレータ３０，４０の形状をティース２３に応じて設計変更する必要がない。
【００５３】
なお、上記では第１インシュレータ３０及び第２インシュレータ４０の両方にティース側突部及びヨーク側突部を形成した場合を説明したが、各インシュレータ３０，４０にティース側突部及びヨーク側突部の一方のみを形成してもよい。また、第１インシュレータ３０及び第２インシュレータ４０の一方のインシュレータのみに、ティース側突部及びヨーク側突部の一方または両方を形成してもよい。
【符号の説明】
【００５４】
１０  回転電機、１３  ギャップ、１４  ロータ、１４ａ  永久磁石、１６  回転軸、２０  回転電機ステータ、２１  ステータコア、２２  ヨーク、２２ａ  第１平面部、２２ｂ  第２平面部、２３  ティース、２３ａ  キー溝、２４  分割コア、２５  ヨーク要素、２６  スロット、２７  コイル、３０  第１インシュレータ、３１  第１ヨーク対向板部、３１ａ  コア側面、３１ｂ  コイル側面、３１ｃ  先端面、３１ｄ  コイル受け部、３１ｅ  ヨーク側突部、３１ｆ，３１ｇ  段差面、３２  キー部、３３  第１基部、３３ａ  突壁部、３３ｂ  切込み、３３ｃ  コイル係止部、３３ｄ  逃げ溝、３４  第１ティース対向部、３４ａ  コア側面、３４ｂ  コイル側面、３４ｃ  先端面、３４ｄ  波形部、３４ｅ  ティース側突部、３４ｆ，３４ｇ  段差面、４０  第２インシュレータ、４１  第２ヨーク対向板部、４１ａ  先端面、４１ｂ  ヨーク側突部、４１ｃ  コイル側面、４１ｄ  コア側面、４１ｅ，４１ｆ  段差面、４２  キー部、４３  第２基部、４４  第２ティース対向板部、４４ａ  先端面、４４ｂ  ティース側突部、４４ｃ  コイル側面、４４ｄ  コア側面、４４ｅ，４４ｆ  段差面、４４ｇ  波形部、５０  インシュレータ、５０ａ  筒部、５０ｂ  外側フランジ。
【図１】
2016116270.tif 000003
【図２】
2016116270.tif 000004
【図３】
2016116270.tif 000005
【図４】
2016116270.tif 000006
【図５】
2016116270.tif 000007
【図６】
2016116270.tif 000008
【図７】
2016116270.tif 000009
【図８】
2016116270.tif 000010
【図９】
2016116270.tif 000011
【図１０】
2016116270.tif 000012